(57)【特許請求の範囲】
【請求項１】
床パンと浴槽とからなり、浴槽の側面をエプロンで覆い、該浴槽の側面を貫通するように追い焚き用アダプターを取り付けた浴室ユニットにおいて、前記エプロンに追い焚き用アダプターの点検口を設け、前記追い焚き用アダプターを内包する閉鎖ボックスを前記点検口から前記エプロン内に挿入して、前記閉鎖ボックスの開口部の周囲に設けられたフランジを前記点検口の表側の周辺に接続し、かつ点検口を塞ぐ点検口蓋の下辺に水抜き手段を備えたことを特徴とする浴室ユニット。
【請求項２】
前記閉鎖ボックスの底面を前記点検口側に向けて下り傾斜面とし、前記点検口の下辺に接続した請求項１記載の浴室ユニット。
【請求項３】
前記閉鎖ボックス内に給水・給湯用配管及び追い焚き用配管を内蔵し、その底面を前記各配管が挿通し、当該挿通部分を止水処理した請求項１又は２記載の浴室ユニット。
【発明の詳細な説明】
【技術分野】
【０００１】
本発明は、追焚機能を備える浴槽を用いた浴室ユニットの改良にかかり、追い焚き用アダプターの漏水対策にかかるものである。
【背景技術】
【０００２】
追焚機能を有する浴槽を備える形式の浴室ユニットは近年広く採用されており、浴室ユニットは、洗い場付き浴槽が一般的で、建築躯体の床上に据え付けられる。そして、浴槽の一部に追い焚き用アダプターを設け、追い焚き用アダプターは、建築躯体の壁を貫通する吸込み及び吐出用の配管を介して、外部の追焚釜に接続される。
【０００３】
かかる追い焚き用アダプターは、その本体部を浴槽内に配置し、基部を浴槽の一部の壁に設けた取付孔を貫通させて外部に導出し、ナット部材で浴槽の壁の外面に締め付けて結合し、浴槽の壁に追い焚き用アダプターを取り付ける。この際、本体部と浴槽の壁の内壁面、ナット部材と浴槽の壁の外壁面との間には、パッキン等のシール材を介装する。
【０００４】
ところで、追い焚き用アダプターは、浴槽の壁に設けた貫通孔を介して取り付けられているが、長期にわたる使用によってシール材が劣化したり、取付部の締め付けの弛み等の原因で、追い焚き用アダプター近傍より漏水するおそれがある。かかる漏水は、そのまま建築躯体の床上に滴下し、床に滞留したりし床を傷めたり或いは床から階下に滲み出したりする。
【０００５】
そこで、上記の不都合の対策として特許文献１が提案されている。この技術は浴槽の壁に貫通するように設けた追焚用バーナの浴槽壁の外側に突出する基部の下方に、容器状の漏水受けトレイを配置し、該漏水受けトレイを排水管に接続し、外部に排水するように構成している。
【０００６】
【特許文献１】実開昭６１−１０６５７１号公報
【０００７】
又、特許文献２では追い焚き用バーナの浴槽壁の外側に突出する基部の下方に、容器状の漏水受けトレイを配置し、該漏水受けトレイを専用の排水パイプを用いて床パン側に排水するように構成している。
【０００８】
【特許文献２】特開２００３−５２５６１号公報
【０００９】
更に、特許文献３が同様に提案されている。この技術は、浴槽の壁に貫通するように設けた追い焚き用バーナの浴槽壁の外側に突出する基部の下方に、容器状の漏水受けトレイを配置し、該漏水受けトレイを排水管に接続し、これを通常は床パンの裏側に備えたトラップに接続して排水する構成である。
【００１０】
【特許文献３】特開平１１−３２４０５０号公報
【００１１】
しかるに、これら従来の技術にあっては、いずれも専用の漏水受けトレイや排水パイプが別個に必要であり部品点数が増加する。従って、部品の継ぎ目が多くなり、この部位からの漏水の危険性が多いという課題がある。そして、漏水受けトレイ等の取付作業を必要とすることから組付作業工数が増え、更に、漏水受けトレイは大気に開放型であるため、トレイ内にダスト等が溜りやすく、場合によってはかえって系外への漏水が発生するおそれもあった。
【発明の開示】
【発明が解決しようとする課題】
【００１２】
本発明は、以上の課題を解決するためになされたもので、漏水受けトレイ等の漏水受け専用部材を必要とすることなく、追い焚き用アダプター取付部からの漏水に効果的に対処し得るようにした浴室ユニットを提供し、従って、部品点数の削減、浴室ユニットの組立時の組立作業の容易化を図ることができるようにした、追い焚き機能を具備する浴室ユニットを提供することにある。特に、前項に説明したように大気開放型のトレイのデメリットを改善するものである。
【００１３】
本発明の他の目的は、追い焚き用アダプター部分からの漏水を、確実に床パンの漏水受け部に導き、万一における建築躯体の床への漏水を防止するようにした浴室ユニットを提供することにある。本発明の更に他の目的は、追い焚き用アダプターのメンテナンスを簡単な作業で容易に行うことを可能とした浴室ユニットを提供することにある。
【課題を解決するための手段】
【００１４】
本発明の要旨は、床パンと浴槽（洗い場付き浴槽）とからなり、浴槽の側面をエプロンで覆い、該浴槽の側面を貫通するように追い焚き用アダプターを取り付けた浴室ユニットにおいて、前記エプロンに追い焚き用アダプターの点検口を設け、当該追い焚き用アダプターを内包する閉鎖ボックスを前記点検口から前記エプロン内に挿入して、前記閉鎖ボックスの開口部の周囲に設けられたフランジを前記点検口の表側の周辺に接続し、かつ点検口を塞ぐ点検蓋の下辺に水抜き手段を備えたことを特徴とする浴室ユニットにかかるものである。
【発明の効果】
【００１５】
本発明は以上の通りであり、浴槽に追い焚き用アダプタ−を備えた場合、従来のように、別個の漏水受けトレイ等を必要とすることが無く、又これを浴槽に組み付ける必要が無い。このため、部品点数の削減が図れること、又、漏水受けトレイ等を別個に用意し、これを取り付ける作業を必要とすることが無いので、従来に比し、作業工数が削減できること、の大きな利点がある。
【００１６】
請求項２では、閉鎖ボックスの底面をそのままいわゆる漏水受けトレイとし、かつ、流路としたものであり、これ又別個に部材を必要としない。
【００１７】
請求項３では、閉鎖ボックス内に浴槽に用いられる各種の配管を集めたものであり、点検口蓋を開けることによって全ての配管のメンテナンスが可能であり、特にボックス内に接続継手を配備すれば、配管の漏水部分もこの点検口にて点検ができるもので、配管部の漏水対策にもなる。
【発明を実施するための最良の形態】
【００１８】
請求項１では、エプロンに追い焚き用アダプターの点検口を設け、当該追い焚き用アダプターを内包する閉鎖ボックスを点検口からエプロン内に挿入して、閉鎖ボックスの開口部の周囲に設けられたフランジを点検口の表側の周辺に接続し、かつ点検口を塞ぐ点検蓋の下辺に水抜き手段を備えたので、点検口がそのまま床パンへの漏水の流路となったもので、追い焚き用アダプターの漏水受けトレイ等を別設し組み付ける必要がなく部品点数の削減が図れる。又、漏水受けトレイ等を別個に用意し、これを取り付ける作業が必要無いので作業工数が削減できる。勿論、閉鎖ボックスなので、従来のような漏水受けトレイ中へのゴミ等が入ることがない。
【００１９】
請求項２は、請求項１において、閉鎖ボックスの底面を点検口側に向けて下り傾斜面とし、点検口の下辺に接続したことから、閉鎖ボックスの底面自体が漏水受けトレイとなるもので、従来の漏水受けトレイが不要となった。
【００２０】
請求項３は、請求項１において、閉鎖ボックス内に給水・給湯用配管及び追い焚き用配管を内蔵し、その底面に各配管が挿通するパッキン材を固着したことにより、一つの点検口で全ての配管を点検し、メンテナンスを可能としたものである。
【実施例】
【００２１】
以下、本発明を実施例をもって更に説明する。図１は追い焚き機能を有する浴槽を備える形式の浴室ユニット、そして図２はその部分拡大断面図である。浴室ユニットは、洗い場１付き浴槽２がであり、建築躯体の床３上に支持部材４を介して据え付けられる。浴槽２の一部に追い焚き用アダプター５を設け、追い焚き用アダプター５は、建築躯体の壁７を貫通する吸込み、吐出用の配管６を介して、外部の追い焚き釜８に接続される。
【００２２】
そして、追い焚き用アダプター５は、本体部５ａを浴槽２内に配置し、基部５ｂを浴槽２の一部の壁２ａに設けた貫通させて外部に導出し、ナット部材９で浴槽２の壁２ａの外面に締め付けて結合する。この際、本体部５ａと浴槽２の壁２ａの内壁面、ナット部材９と浴槽２の壁２ａの外壁面との間には、図示しないパッキン等のシール材を介装する。
【００２３】
ところで、追い焚き用アダプター５は、浴槽２の壁２ａに設けた貫通孔を介して取り付けられているので、長期にわたる使用で、シール材が劣化したり、取付部の締め付けの弛み等の原因で、追い焚き用アダプター５の浴槽取付部から漏水する虞がある。漏水は、床パン１が浴槽２と別置きされていることから、そのまま建築躯体の床３上に滴下し、床３に滞留したりし、床３を傷めたり、或いは床３から階下に滲み出したりする虞がある。
【００２４】
１０は浴槽２の側面を覆うエプロンであり、このエプロン１０に前記追い焚き用アダプタ−５を点検できる位置に点検口１１を備え、これに必要な蓋１２を備えたものである。２０はＦＲＰ製よりなる閉鎖ボックスであり、図３にて詳細を示すが、前記追い焚き用アダプタ−５を内包して点検口１１に接続したものである。尚、閉鎖ボックス２０は通常合成樹脂にて構成されるものであり、ＦＲＰ製の他、例えばＡＢＳ製或いはＰＳ製であってもよい。さて、一般には点検口１１より閉鎖ボックス２０が挿入され、浴槽２の側面とは前記したナット部材９にて共締めするのが一般的であり、エプロン１０の点検口１１にはフランジ２１をもってボルト及びナットにて固着される。尚、浴槽２の側面に接着剤にて固着することもできることは言うまでもない。
【００２５】
さて、閉鎖ボックス２０の底面２０ａは点検口１１に向けて下向きに傾斜しており、追い焚き用アダプタ−５から漏水があったとしてもこの底部２０ａが流路となり、点検口１１に向かって流れることになる。
【００２６】
点検口蓋１２にあっては、その下辺１２ａに凹み１２ｂを形成し、これを水抜き手段としたものである。従って、追い焚き用アダプタ−５近傍から漏水があった場合、漏水はそのまま閉鎖ボックス２０の底面２０ａに達し、その傾斜を利用して点検口１１に達し、点検口蓋１２の凹み１２ｂを通って床パン１上に流れ出るものであり、閉鎖ボックス２０を取り付けるだけで追い焚き用アダプタ−５近傍からの漏水の問題は完全に解決したものである。しかも閉鎖ボックスであるために、従来のような漏水受けトレイ内にゴミやホコリが詰まってしまうこともなくなる。
【００２７】
尚、この閉鎖ボックス２０内は点検口１１にて内部が点検できるものであり、このため、浴槽２内の水の吸込み及び吐出用の配管６をこの閉鎖ボックス２０内に納めることが望ましい。給水・給湯管６ａも同様であり、このため、図４に示すように閉鎖ボックス２０の底面２０ａにはこれらの配管が立ち上がり、シ−ル機能をもたらすためのブ−ツ式のパッキン材２２を固着しておき、各管６、６ａはこれを貫いて配管されるのがよい。かかるブ−ツ式のパッキン材２２はゴムプレ−ト２２ａに各ブ−ツ２２ｂが一体に成形されたものがよく、ゴムによるモ−ルド成形品が好ましい。そして、底面２０ａに開けた穴に合わせ、固定枠２０ｃをあてがってボルト等にて固着するものである。
【産業上の利用可能性】
【００２８】
本発明は以上の通りであり、閉鎖ボックスにて追い焚き用アダプタ−と点検口とを結び、点検口蓋に水抜き手段を形成したものであり、閉鎖ボックスの底面が漏水の流路となり、これを床パンに導くものであり、その他の部材を必要とせず簡単な構成で対策が講じられたもので、追い炊き用アダプタ−を備えた浴槽に広く利用可能である。
【図面の簡単な説明】
【００２９】
【図１】図１は追い焚き機能を有する浴槽を備える形式の浴室ユニットの図である。
【図２】図２はその部分拡大断面図である。
【図３】図３は本発明の閉鎖ボックスを示す図である。
【図４】図４は閉鎖ボックスの好適例を示す図である。
【符号の説明】
【００３０】
１‥床パン、
２‥浴槽、
２ａ‥浴槽の壁、
３‥建築躯体床、
５‥追い焚き用アダプター、
５ａ‥追い焚き用アダプター本体部、
５ｂ‥追い焚き用アダプター基部、
６‥吸込み吐出用配管
９‥ナット部材、
１０‥エプロン、
１１‥点検口、
１２‥点検口蓋、
１２ａ‥点検口蓋下辺、
１２ｂ‥点検口蓋下辺凹み（水抜き手段）、
２０‥閉鎖ボックス、
２０ａ‥閉鎖ボックス底面、
２１‥閉鎖ボックスのフランジ。
【図１】
0004680695.tif 000002
【図２】
0004680695.tif 000003
【図４】
0004680695.tif 000004
【図３】
0004680695.tif 000005